【手続補正書】
【提出日】平成16年4月13日(2004.4.13)
【手続補正１】
【補正対象書類名】特許請求の範囲
【補正対象項目名】全文
【補正方法】変更
【補正の内容】
【特許請求の範囲】
【請求項１】
超音波外科用器具の末端エフェクタであって、該超音波外科用器具は、操作可能な構造体、該操作可能な構造体に作動可能に連結され遠位端を有する本体部分、複数の変換器、および該本体部分の遠位端上に支持された該末端エフェクタを備え、該末端エフェクタは、複数の共鳴部材を備え、各共鳴部材は、該共鳴部材の長さに沿った振動をもたらすための該複数の変換器のうちの１つの変換器に作動可能に連結されており、そして組織の切開、切断、凝固、結紮および／または止血をもたらすように構成されている作動表面を備えており、ここで、該複数の共鳴部材の第１部材の該振動に関連した変位曲線は、該複数の共鳴部材の第２部材の振動に関連した変位曲線に対してオフセットされている、末端エフェクタ。
【請求項２】
前記第１共鳴部材が、前記第２共鳴部材に対して長手軸方向にずらして配置される、請求項１に記載の末端エフェクタ。
【請求項３】
前記第１共鳴部材が、可撓性結合によって前記第２共鳴部材に連結される、請求項１に記載の末端エフェクタ。
【請求項４】
前記複数の共鳴部材が、一緒に積層される、請求項１に記載の末端エフェクタ。
【請求項５】
前記変換器が、ずらして配置された複数の変換器を備える、請求項１に記載の末端エフェクタ。
【請求項６】
前記変換器は、ずらして配置された複数の変換器を備えるが、前記複数の共鳴部材の共鳴部材はずらして配置されていない、請求項１に記載の末端エフェクタ。
【請求項７】
前記末端エフェクタが、前記変換器を備える、請求項１に記載の末端エフェクタ。
【請求項８】
前記複数の共鳴部材の各々の共鳴部材が、フレームおよび共鳴構造体を備え、前記変換器が、該共鳴構造体に作動可能に連結されており、そして該共鳴構造体が前記作動表面を備える、請求項１に記載の末端エフェクタ。
【請求項９】
各共鳴構造体が近位端を有し、そして前記第１共鳴部材の共鳴構造体の近位端が、前記第２共鳴部材の近位端に対してずらして配置されている、請求項８に記載の末端エフェクタ。
【請求項１０】
前記変換器が複数の変換器を備え、ここで前記第１共鳴部材が、前記複数の変換器のうちの１つの変換器をさらに備え、ここでさらに備えられる変換器が、前記第１共鳴部材の共鳴構造体と接触して配置される、請求項８に記載の末端エフェクタ。
【請求項１１】
超音波外科用器具であって、該超音波外科用器具は、以下：
操作可能な構造体；
変換器；
該操作可能な構造体に作動可能に連結され遠位端を有する、本体部分；および
該本体部分の遠位端上に支持された末端エフェクタ
を備え、該末端エフェクタは、複数の共鳴部材を備え、各共鳴部材は、該共鳴部材の長さに沿って振動をもたらすために該変換器に作動可能に連結されており、各共鳴部材は、組織の切開、切断、凝固、結紮および／または止血をもたらすように構成された作動表面を備え、ここで、該複数の共鳴部材の第１部材の該振動に関連した変位曲線は、該複数の共鳴部材の第２部材の振動に関連した変位曲線に対してオフセットされている、超音波外科用器具。
【請求項１２】
前記振動が、長手軸方向である、請求項１１に記載の超音波外科用器具。
【請求項１３】
前記振動が、横方向である、請求項１１に記載の超音波外科用器具。
【請求項１４】
前記第１共鳴部材が、前記第２共鳴部材に対して長手軸方向にずらして配置される、請求項１１に記載の超音波外科用器具。
【請求項１５】
前記第１共鳴部材が、可撓性結合によって前記第２共鳴部材に連結される、請求項１１に記載の超音波外科用器具。
【請求項１６】
前記第１共鳴部材および第２共鳴部材が、積層プロセスによって一緒に積層される、請求項１１に記載の超音波外科用器具。
【請求項１７】
前記複数の共鳴部材が、積層体の形態である、請求項１１に記載の超音波外科用器具。
【請求項１８】
前記複数の共鳴部材が、一緒に積層される、請求項１１に記載の超音波外科用器具。
【請求項１９】
前記変換器が、複数の変換器を備える、請求項１１に記載の超音波外科用器具。
【請求項２０】
前記操作可能な構造体が、ハンドルである、請求項１１に記載の超音波外科用器具。
【請求項２１】
前記操作可能な構造体が、前記器具から離れて位置するモジュール上に位置する、請求項１１に記載の超音波外科用器具。
【請求項２２】
前記本体部分が、前記モジュールから前記末端エフェクタへと遠位に延びる細長可撓性部材を備える、請求項２１に記載の超音波外科用器具。
【請求項２３】
前記変換器が、ずらして配置された複数の変換器を備える、請求項１１に記載の超音波外科用器具。
【請求項２４】
前記複数の変換器の変換器は、ずらして配置されるが、前記複数の共鳴部材の共鳴部材はずらして配置されていない、請求項２３に記載の超音波外科用器具。
【請求項２５】
前記変換器が、それぞれ、前記第１共鳴部材および第２共鳴部材に作動可能に連結された第１変換器および第２変換器を備える、請求項１１に記載の超音波外科用器具。
【請求項２６】
前記末端エフェクタが、前記変換器を備える、請求項１１に記載の超音波外科用器具。
【請求項２７】
前記複数の共鳴部材の各々の共鳴部材が、フレームおよび共鳴構造体を備え、前記変換器が、該共鳴構造体に作動可能に連結されており、そして該共鳴構造体が前記作動表面を備える、請求項１１に記載の超音波外科用器具。
【請求項２８】
各共鳴構造体が近位端を有し、そして前記第１共鳴部材の共鳴構造体の近位端が、前記第２共鳴部材の近位端に対してずらして配置されている、請求項２７に記載の超音波外科用器具。
【請求項２９】
前記変換器が複数の変換器を備え、ここで前記第１共鳴部材が、前記複数の変換器のうちの１つの変換器をさらに備え、ここでさらに備えられる変換器が、前記第１共鳴部材の共鳴構造体と接触して配置される、請求項２７に記載の超音波外科用器具。
【請求項３０】
前記超音波器具内に配置され、そして変換器手段と作動可能に連結した遠位端および電源と連絡した近位端を有する電導体をさらに備える、請求項１１に記載の超音波外科用器具。
【手続補正２】
【補正対象書類名】図面
【補正対象項目名】全図
【補正方法】変更
【補正の内容】
【図１Ａ】
2005505341.tif 000001
【図１Ｂ】
2005505341.tif 000002
【図２】
2005505341.tif 000003
【図３】
2005505341.tif 000004
【図４】
2005505341.tif 000005
【図５Ａ】
2005505341.tif 000006
【図５Ｂ】
2005505341.tif 000007
【図５Ｃ】
2005505341.tif 000008
【図５Ｄ】
2005505341.tif 000009
【図５Ｅ】
2005505341.tif 000010
【図５Ｆ】
2005505341.tif 000011
【図５Ｇ】
2005505341.tif 000012
【図５Ｈ】
2005505341.tif 000013
【図５Ｉ】
2005505341.tif 000014
【図５Ｊ】
2005505341.tif 000015
【図５Ｋ】
2005505341.tif 000016
【図６】
2005505341.tif 000017